(57)【要約】【課題】マルチキャリア通信のデジタル復調時における同期確立性の向上を図る。【解決手段】複数のキャリアを同時に用いてデータ伝送し、各キャリアの変調速度として各キャリア間の伝搬路遅延時間差の逆数よりも小さい値を用いる無線装置において、各キャリアごとに夫々既知信号パターンを有する無線フレームを各キャリア間で同期させて送信する送信装置と、各キャリアごとに受信した複数の前記既知信号パターンを利用して生成した１つの同期情報を、複数のキャリアに対し共通の同期信号として用いる受信装置とを備える。前記１つの同期信号は、例えばキャリアごとに分離された変調信号を１つに合成してから既知のユニークワードとの相関ピーク検出を行うか、直前の共通の同期信号を用いてキャリア毎に行った波形等化の等化誤差が最小のキャリアから取得された同期信号を選択して得る。【選択図面】図８【特許請求の範囲】
【請求項１】
複数のキャリアを同時に用いてデータ伝送し、各キャリアの変調速度として各キャリア間の伝搬路遅延時間差の逆数よりも小さい値を用いる無線装置であって、各キャリアごとに夫々既知信号パターンを有する無線フレームを各キャリア間で同期させて送信する送信装置と、
各キャリアごとに受信した複数の前記既知信号パターンを利用して生成した１つの同期情報を、複数のキャリアに対し共通の同期信号として用いる受信装置とを備える無線装置。
【請求項２】
入力される情報ビット列を第１の情報ビット列及び第２の情報ビット列に分割して出力する分割手段と、
前記第１及び第２の情報ビット列をデジタル変調処理し、第１及び第２の変調信号を夫々出力するデジタル変調手段と、
前記第１及び第２の変調信号をデジタル信号からアナログ信号に変換し、第１及び第２の変調アナログ信号を夫々出力するデジタル／アナログ変換器と、
前記第１及び第２の変調アナログ信号を上側波帯（ＵＳＢ）及び下側波帯（ＬＳＢ）に夫々独立した情報として乗せるように周波数変換して独立側波帯（ＩＳＢ）信号を出力するＩＳＢ変調手段と、を備える独立側波帯（ＩＳＢ）方式の無線装置であって、
前記デジタル変調手段は、入力である前記第１及び第２の情報ビット列の夫々に対し、入力信号を所定の長さに区切り、送受間にて既知のユニークワードを挿入して同一構造のフレームを生成するフレーム生成手段と、該フレーム毎に前記ビット列をシンボル列に変換し、送受間で既知の所定のマッピングパターンにて信号空間にマッピングしてＩ相、Ｑ相の信号を出力する信号空間マッピング手段と、前記マッピングされたＩ相、Ｑ相の信号に所定の周波数の正弦波とそれを９０度移相した信号をそれぞれ乗算した後、加算し送信信号を生成する直交変調手段と、を備えることを特徴とする無線装置。
【請求項３】
受信信号を複数の伝送キャリアに対応する周波数帯域に分離する帯域分割手段と、
上記帯域分割手段から出力される複数の分離変調信号を復調せずに合成して、合成変調信号を出力する合成手段と、
前記合成変調信号を入力し、送受間にて既知のユニークワードとの相関演算を行って同期情報を出力する第１の同期手段と、
前記複数の分離変調信号を各々入力し、変調方式に対応する復調方式でデジタル復調処理した復調ビット列を出力する複数のデータ復調手段と、を備える無線装置であって、
前記データ復調手段は、入力信号を直交検波しＩ相、Ｑ相信号を出力する直交検波手段と、前記同期情報に基づくシンボル位置でサンプリングしたＩ相、Ｑ相のシンボル列を出力する第２の同期手段と、サンプリングされたシンボル列を送受間で既知のマッピングパターンによりデマッピングしてビット列に変換する信号空間デマッピング手段と、を備えることを特徴とする無線装置。
【請求項４】
受信信号を複数の伝送キャリアに対応する周波数帯域に分離して分離変調信号を出力する帯域分割手段と、
複数の前記分離変調信号から取得可能な同期タイミングのうち最も優れていると判断した１つを各伝送キャリアに共通の同期タイミングに設定する同期タイミング設定手段と、
上記帯域分割手段から出力される複数の分離変調信号を夫々入力し、前記共通の同期タイミングに従って各々変調方式に対応した復調方式でデータを復調する複数のデータ復調手段と、を備える無線装置。
【請求項５】
前記データ復調手段は、前記分離変調信号に含まれるユニークワードを検出して同期タイミングを取得する同期検出手段と、前記共通の同期タイミングに従って検出される受信ユニークワードを用いて波形等化処理を行う等化処理手段と、上記等化処理手段の過程において得られるユニークワード等化誤差の合計値を算出および格納するユニークワード等化誤差算出・格納手段と、を備え、
同期タイミング設定手段は、上記データ復調手段の夫々で得られた複数の等化誤差合計値のうち最小値が算出されたデータ復調手段で取得された同期タイミングを前記共通の同期タイミングとして次フレーム以降適用することを特徴とする請求項４記載の無線装置。
【発明の詳細な説明】
【０００１】
【発明の属する技術分野】
本発明はデジタル移動体通信を行う無線装置に関し、特に独立側波帯（ＩＳＢ）方式を用いてデジタル変調された信号を見なし音声通信する無線装置に関する。
【０００２】
【従来の技術】
図１は、２つのデータキャリアを用いて伝送するデータ通信を説明する図である。図１の方式は、２本の独立したデータキャリアを配置して通信を行うものであり、ベースバンド処理としては単純に二つのキャリアに別個の情報を割り当てて行う通信と見立てられる。
各帯域に割り当てられる変調方式には様々な方式が考えられるが、同期パターンを別個に備え、復調側ではキャリア毎に別個に同期タイミングを取得して動作する方式が知られている。
【０００３】上記従来例の他に本発明に関連する技術として特許文献１〜３がある。
【０００４】特許文献１は、複数のキャリアで伝送されたデータを再生するために、キャリア毎のデータをＦＩＦＯ回路に書込むと共に、ＦＩＦＯ回路の読み出しタイミングには、各キャリアのフレーム同期信号のうち最も遅延時間の多いものを選択して用いることで、遅延時間の差を吸収するものである。
【０００５】特許文献２は、ガードインターバルと有効シンボルの一部との相関を検知して同期をとるＯＦＤＭ受信装置の同期回路において、Ｉ相、Ｑ相夫々で求めた相関値を足し合わせてからピーク検出することで鮮明且つ確実な同期を得るものである。
【０００６】特許文献３は、ダイバーシチ受信回路において、２つの受信信号系列に対し、付加された発コードによりフレーム同期を確保した上で、ビット毎にＳ／Ｎの優れた方を選択してビット判定するものである。
【０００７】
【特許文献１】特開平１１‐２８４６２２号公報
【特許文献２】特開２０００‐２５２９４８号公報
【特許文献３】特開平１０‐９３５３８号公報
【０００８】
【発明が解決しようとする課題】
従来技術のデータ通信では、キャリア毎に別々に復調処理を行う。したがって、フレーム同期処理及びシンボル同期処理を行う同期処理も独立した構成となっており、同期確立性能はシングルキャリアと同等である。ここで問題となるのは、同期処理では、等化器等による伝送路歪補償がなされていない受信信号（例えばユニークワード）を使用するため、無線伝送路品質に影響を受けやく、伝送路の雑音が大きくなると、すなわち、信号対雑音比（Ｓ／Ｎ）が劣化すると、デジタル復調において同期が確立できない確率が高くなってしまうことである。
【０００９】本発明は上記問題点を鑑み、マルチキャリア通信のデジタル復調時における同期確立性の向上を図ったマルチキャリア無線装置を提供することにある。
【００１０】
【課題を解決するための手段】
上記目的を実現するため本発明の無線装置は、複数のキャリアを同時に用いてデータ伝送し、各キャリアの変調速度として各キャリア間の伝搬路遅延時間差の逆数よりも十分に小さい値を用いる無線装置であって、各キャリアごとに夫々既知信号パターンを有する無線フレームを各キャリア間で同期させて送信する送信装置と、各キャリアごとに受信した複数の前記既知信号パターンを利用して生成した１つの同期情報を、複数のキャリアに対し共通の同期信号として用いる受信装置とを備える。
【００１１】また、入力される情報ビット列を第１の情報ビット列及び第２の情報ビット列に分割して出力する分割手段と、前記第１及び第２の情報ビット列をデジタル変調処理し、第１及び第２の変調信号を夫々出力するデジタル変調手段と、前記第１及び第２の変調信号をデジタル信号からアナログ信号に変換し、第１及び第２の変調アナログ信号を夫々出力するデジタル／アナログ変換器と、前記第１及び第２の変調アナログ信号を上側波帯（ＵＳＢ）及び下側波帯（ＬＳＢ）に夫々独立した情報として乗せるように周波数変換して独立側波帯（ＩＳＢ）信号を出力するＩＳＢ変調手段と、を備える独立側波帯（ＩＳＢ）方式の無線装置であって、前記デジタル変調手段は、入力である前記第１及び第２の情報ビット列の夫々に対し、入力信号を所定の長さに区切り、送受間にて既知のユニークワードを挿入して同一構造のフレームを生成するフレーム生成手段と、該フレーム毎に前記ビット列をシンボル列に変換し、送受間で既知の所定のマッピングパターンにて信号空間にマッピングしてＩ相、Ｑ相の信号を出力する信号空間マッピング手段と、前記マッピングされたＩ相、Ｑ相の信号に所定の周波数の正弦波とそれを９０度移相した信号をそれぞれ乗算した後、加算し送信信号を生成する直交変調手段と、を備える。
【００１２】また、受信信号を複数の伝送キャリアに対応する周波数帯域に分離する帯域分割手段と、上記帯域分割手段から出力される複数の分離変調信号を復調せずに合成して、合成変調信号を出力する合成手段と、前記合成変調信号を入力し、送受間にて既知のユニークワードとの相関演算を行って（最適シンボル位置及びフレーム開始位置を検出し、最適シンボル位置情報及びフレーム開始位置情報のような）同期情報を出力する第１の同期手段と、前記複数の分離変調信号を各々入力し、変調方式に対応する復調方式でデジタル復調処理した復調ビット列を出力する複数のデータ復調手段と、を備える無線装置であって、前記データ復調手段は、入力信号を直交検波しＩ相、Ｑ相信号を出力する直交検波手段と、（フレーム毎に）前記同期情報に基づくシンボル位置でサンプリングしたＩ相、Ｑ相のシンボル列を出力する第２の同期手段と、サンプリングされたシンボル列を送受間で既知のマッピングパターンによりデマッピングしてビット列に変換する信号空間デマッピング手段と、を備える。
【００１３】また、受信信号を複数の伝送キャリアに対応する周波数帯域に分離して分離変調信号を出力する帯域分割手段と、複数の前記分離変調信号から取得可能な同期タイミングのうち最も優れていると判断した１つを各伝送キャリアに共通の同期タイミングに設定する同期タイミング設定手段と、上記帯域分割手段から出力される複数の分離変調信号を夫々入力し、前記共通の同期タイミングに従って各々変調方式に対応した復調方式でデータを復調する複数のデータ復調手段と、を備える。
【００１４】更に、前記データ復調手段は、前記分離変調信号に含まれるユニークワードを検出して同期タイミングを取得する同期検出手段と、前記共通の同期タイミングに従って検出される受信ＵＷを用いて波形等化処理を行う等化処理手段と、上記等化処理手段の過程において得られるＵＷ等化誤差の合計値を算出および格納するＵＷ等化誤差算出・格納手段と、を備え、同期タイミング設定手段は、上記データ復調手段の夫々で得られた複数の等化誤差合計値のうち最小値が算出されたデータ復調手段で取得された同期タイミングを前記共通の同期タイミングとして次フレーム以降適用する。（このデータ復調手段は例えば、発明の実施の形態における直交検波器４２、同期処理部４２６、等化処理部４２７、データ復調部４２８の複合体に相当する。）
【００１５】
【発明の実施の形態】
≪本発明の背景≫本発明の理解を助けるため、まず２つのキャリアを伝送する独立側波帯（Ｉｎｄｅｐｅｎｄｅｎｔ  Ｓｉｄｅ−Ｂａｎｄ）方式のデータ通信について図１を流用して説明する。ＩＳＢデータ通信は、図１のように０Ｈｚを境に正側の周波数帯域と負側の周波数帯域それぞれに別個のデータキャリアを配置できるものである。よって送受信機にはＩＳＢ機能が備わっていることが実現可能の条件である。各帯域に割り当てられる変調方式には様々な方式が考えられるが、同期パターンを別個に持ちそれぞれ同期タイミングを取得して別個に動作する方式が簡易的であるので、以下この方式について第１の送信装置、受信装置として説明する。
【００１６】≪第１の送信装置≫図２に上記方式によるＩＳＢ送信装置の構成を示す。図２において、９．６ｋｂｐｓの情報ビット列（ａ１）が分離器１１により、２つの４．８ｋｂｐｓのビット列（（ｂ１）、（ｃ１））に分割され出力される。４．８ｋｂｐｓの情報ビット列（ｂ１）及び（ｃ１）は、それぞれデジタル変調器１２及び１３により変調処理され、変調結果である変調された信号（ｄ１）及び（ｅ１）が出力される。ここで、デジタル変調器１２及び１３は同じ構成で、フレームタイミングも同一であり、その構成については後で説明する。変調された信号（ｄ１）及び（ｅ１）はそれぞれ、デジタル／アナログ（Ｄ／Ａ）変換器１５及び１６によりアナログ信号（ｇ１）、（ｈ１）に変換された後、（ｇ１）はＩＳＢ変調器１４の上側波帯（ＵＳＢ）に対応する入力、（ｈ１）は下側波帯（ＬＳＢ）に対応する入力としてＩＳＢ変調器により変調され、その結果であるＩＳＢ信号（ｆ１）が伝送路に出力される。
【００１７】次に、ＩＳＢ送信装置（図２）のデジタル変調器１２、１３の詳細な構成について説明する。まず、デジタル変復調器に音声通話用に想定した仕様を図４に示す。
【００１８】図５はデジタル変調器１２の構成図である。フレーム生成部１２１は、４．８ｋｂｐｓの情報ビット列（ａ２）を入力し、３９６ビット（８ＰＳＫの場合、３ビット／シンボルであるため１３２シンボル）毎に９９ビット（３３シンボル分）のユニークワード（Ｕｎｉｑｕｅ  Ｗｏｒｄ）（ｂ２）を付与し、フレーム化する（フレーム長は８２．５ｍｓ）。フレーム構成を図７に示す。ＵＷパターン発生器１２２は、送受間で既知のパターンであり同期処理、波形等化、周波数誤差推定でのトレーニング信号として使用されるＵＷを記憶し、出力する。ＵＷは確実な同期タイミング取得のためにユニークな（自己相関性が鋭い）情報であることが望ましい。フレーム化の結果、冗長信号であるＵＷを付与することにより伝送速度は６ｋｂｐｓとなる。
【００１９】図５に戻ると、フレーム化されたシンボル列（ｃ２）は、信号空間マッピング部１２３に入力され、シンボル（３ビット）毎に８ＰＳＫの信号空間にマッピングされる。マッピングの結果、Ｉ相信号（ｄ２）およびＱ相信号（ｅ２）が出力され、それぞれロールオフフィルタリング部１２４によりフィルタリングされ（ロールオフ率０．２５）、帯域制限されたＩ相信号（ｆ２）及びＱ相信号（ｇ２）が出力される。次にＩ相信号（ｆ２）およびＱ相信号（ｇ２）に直交変調が施される。搬送波発生部１２５からは搬送波周波数を持つ正弦波（ｈ２）が出力され、乗算器１２７によりＩ相信号（ｆ２）に乗算される。また、正弦波（ｈ２）は、９０度移相部（２−６）により、９０度移相された後（ｉ２）、乗算器１２８により、Ｑ相信号（ｇ２）に乗算される。乗算結果である搬送波周波数にシフトされたＩ相信号（ｊ２）およびＱ相信号（ｋ２）は、加算器１２９により加算され、変調信号（ｌ２）が出力される。変調信号（ｌ２）は、図１の変調波（ｄ１）若しくは（ｅ１）に対応する。
【００２０】≪第１の受信装置≫図３にＩＳＢ受信装置の構成を示す。図３において、ＩＳＢ復調器３１は、ＩＳＢ受信信号（ａ３）を受信、復調し、上側波帯（ＵＳＢ）に対応する復調信号（ｇ３）、下側波帯（ＬＳＢ）に対応する復調波（ｈ３）が出力する。復調信号（ｇ３）及び（ｈ３）は、それぞれアナログ／デジタル（Ａ／Ｄ）変換器３５及び３６によりデジタル信号（ｂ３）及び（ｃ３）に変換される。（ｂ３）  、（ｃ３）はそれぞれデジタル復調器３２及び３３により復調処理され、復調結果である４．８ｋｂｐｓの復調ビット列（ｄ３）及び（ｅ３）が出力される。ここで、デジタル復調器３２及び３３は同じ構成であり、その構成については後で説明する。次に、４．８ｋｂｐｓの復調ビット列（ｄ３）及び（ｅ３）は合成器３４により合成され、９．６ｋｂｐｓの情報ビット列が出力される。
【００２１】次に、ＩＳＢ受信装置（図３）のデジタル復調器３２、３３の詳細な構成について説明する。図６はデジタル復調器３２の構成図である。デジタル復調器３２では、入力信号（ａ４）を入力し、初めに直交検波を行う。搬送波発生部３２１からは搬送波周波数を持つ正弦波（ｂ４）が出力される。正弦波（ｂ４）は、乗算器３２３により受信信号（ａ４）に乗算され、Ｉ（Ｉｎｐｈａｓｅ）相信号（ｄ４）が得られる。また、正弦波（ｂ４）は、９０度移相部３２２により、９０度移相された後（ｃ４）、乗算器３２４により受信信号（ａ４）に乗算され、Ｑ（Ｑｕａｄｒａｔｕｒｅ）相信号（ｅ４）が得られる。Ｉ相信号（ｄ４）及び  Ｑ相信号（ｅ４）はローパスフィルタ３２５によりそれぞれフィルタリングされ、帯域制限されたＩ相信号（ｆ４）、Ｑ相信号（ｇ４）が出力される。帯域制限されたＩ相信号（ｆ４）、Ｑ相信号（ｇ４）は、同期部３２５に入力され、ＵＷパターンの相関演算・最大相関値探索によりシンボル同期、及びフレーム同期処理が行われ、最適シンボル点、フレーム開始位置が検出される。同期部３２６からは、フレーム単位に最適シンボル点でサンプリングされたＩ相信号（ｈ４）、Ｑ相信号（ｉ４）が出力され、波形等化部３２７に入力される。波形等化部３２７では、ＵＷパターンを基にトレーニングされた等化係数により歪み成分が除去されて、等化後のＩ相信号（ｊ４）およびＱ相信号（ｋ４）が出力される。等化後のＩ相信号（ｊ４）およびＱ相信号（ｋ４）は、信号空間デマッピング３２８に入力され、デマッピングされ、４．８ｋｂｐｓの復調ビット列（ｌ４）が出力される。これは、図３の復調ビット列（ｄ３）若しくは（ｅ３）に対応する。
【００２２】≪第２の受信装置≫第２の受信装置は請求項３の発明に対応する。第２の受信装置の動作は、送信側として第１の送信装置（図２）を用いる場合、２つのデジタル変調器１２及び１３において同一のＵＷが挿入されることを前提とする。以後の説明のその他の点については、特に断らない限り上記第１の送信装置、第１の受信装置と共通とする。
【００２３】図８に、第２の受信装置のハードウェアの構成を示す。図８において、ＩＳＢ復調器３１は、受信信号（ａ５）を独立側波帯（ＩＳＢ）復調し、上側波帯（ＵＳＢ）、下側波帯（ＬＳＢ）に対応する２つの復調信号（ＵＳＢ復調信号（ｉ５）及びＬＳＢ復調信号（ｊ５））を出力する。ＵＳＢ復調信号（ｉ５）及びＬＳＢ復調信号（ｊ５）はそれぞれ、アナログ／デジタル（Ａ／Ｄ）変換器３５及び３６によりデジタル信号（ｂ５）及び（ｃ５）に変換される。合成器２０は、デジタル化されたＵＳＢ復調信号（ｂ５）及びデジタル化されたＬＳＢ復調信号（ｃ５）を合成して、合成された復調信号（ｄ５）を出力する。同期情報検出部２１は、合成された復調信号（ｄ５）を使用して、最適シンボル位置情報及びフレーム開始位置情報（ｅ５）を検出し、出力する。
【００２４】図９に同期情報検出部２１の内部構成を示す。図９において、初めに、合成された復調信号（ａ６）（図８のｄ５）を入力し、直交検波を行う。搬送波発生部２１１からは搬送波周波数を持つ正弦波（ｂ６）が出力される。正弦波（ｂ６）は、乗算器２１３により合成された復調信号（ａ６）に乗算され、Ｉ相信号（ｄ６）が得られる。また、正弦波（ｂ６）は、９０度移相部２１２により、９０度移相された後（ｃ６）、乗算器２１４により合成された復調信号（ａ６）に乗算され、Ｑ相信号（ｅ６）が得られる。Ｉ相信号（ｄ６）及び  Ｑ相信号（ｅ６）はローパスフィルタ２１５によりそれぞれフィルタリングされ、帯域制限されたＩ相信号（ｆ６）、Ｑ相信号（ｇ６）が出力される。帯域制限されたＩ相信号（ｆ６）、Ｑ相信号（ｇ６）は、同期部２１６に入力され、ＵＷパターンの相関演算・最大相関値探索によりシンボル同期、及びフレーム同期処理が行われ、最適シンボル位置情報及びフレーム開始位置情報が検出され、出力される。
【００２５】図８に戻ると、合成された復調信号（ｄ５）のＵＷ部は、合成前のＵＳＢ復調信号（ｂ５）  のＵＷ部またはＬＳＢ復調信号（ｃ５）  のＵＷ部に比べ、Ｓ／Ｎが理論上３ｄＢ改善されている（加算することにより、信号電力４倍、雑音電力２倍となるため、Ｓ／Ｎは２倍となり、対数を取ると３ｄＢ改善される）。したがって、従来例のように、ＵＳＢ復調信号（ｂ５）  、ＬＳＢ復調信号（ｃ５）  に対し、別々に同期処理を行う場合に比べ、合成された復調信号（ｄ５）を用いて同期処理を行うことにより伝送路雑音に対する頑健性が向上する。
【００２６】また、デジタル復調器２２及び２３は、それぞれＵＳＢ復調信号（ｂ５）及びＬＳＢ復調信号に（ｃ５）対しデジタル復調し、復調ビット列（ｆ５）及び（ｇ５）を出力する。デジタル復調器２２、２３の構成は、第１の受信装置におけるデジタル復調器３２、３３の構成と同じであるが、同期部３２６の動作のみが異なる。第２の受信装置での同期部３２６の動作は、同期情報検出部２１からの出力である最適シンボル位置情報及びフレーム開始位置情報に基づいて、フレーム毎に最適シンボル位置でサンプリングされたＩ相、Ｑ相のシンボル列を出力する。合成器３４は２つの復調ビット列（ｆ５）及び（ｇ５）を合成し、合成された復調ビット列（ｈ５）を出力する。
【００２７】上述のＩＳＢ受信装置のハードウェアの構成例において、同期情報検出部２１、デジタル復調器２２及び２３において、搬送波発生部、９０度位相器、乗算器、ＬＰＦを別々に備える構成としたが、機能は同じであるため、ハードウェアの共通化が可能である。或いは、合成器２０が、ＵＳＢ及びＬＳＢ復調信号（ｂ５）（ｃ５）の替わりに、デジタル復調器２２及び２３の双方におけるＩ／Ｑ信号（ｄ４）（ｅ４）若しく（ｆ４）（ｇ４）を合成し、同期情報検出部２１は同期部２１６のみ備え合成器２０より入力された合成Ｉ／Ｑ信号を直接同期部２１６に入力するようにしても良い。
【００２８】≪第３の受信装置≫第３の受信装置は請求項４乃至５の発明に対応する。データの配分については図１に示したＩＳＢデータ伝送の概念図と同様である。第３の受信装置は、ＵＷを合成するのではなく、どちらかよい方を選択するようにした点で第２の受信装置と異なり、各キャリアのＵＷは同じでも異なっても良い。
【００２９】以下、図１０に示す第３の受信装置の構成図を参照しつつ説明を行う。まず受信信号（ａ７）が帯域分離部４１に入力する。帯域分離部４１は受信信号を０Ｈｚを基点に正側と負側に分離する。分離された信号（ｕ７）（ｌ７）はそれぞれ正側信号の直交検波部４２および負側の直交検波部４３に入力される。直交検波部４２、４３は、それぞれのキャリア周波数に従った直交検波を行い（更にフィルタリングを行っても良い）、デジタルに変換されたＩ／Ｑ信号（ｃ７）、（ｄ７）を夫々出力する。正側／負側それぞれのＩ／Ｑ信号は各々別個の同期処理部４２６、４３６に入力される。同期処理部４２６、４３６は、第１の受信装置の同期処理部３２６と同様に同期タイミング（ｇ７）（ｈ７）を検出し、同期タイミング設定部４５に出力する。一方、直交検波の出力であるＩ／Ｑ信号（ｅ７）（ｆ７）も同期タイミング設定部４５に直接入力される。
【００３０】同期タイミング設定部４５は、Ｉ／Ｑ信号（ｅ７）（ｆ７）夫々に対し後述する方法で設定された同期タイミングでＵＷ位置を検出し、ＵＷ位置が検出されたＩ／Ｑ信号（ｉ７）（ｊ７）を夫々出力する。（このとき同期タイミングに従って信号の間引きをしても良い。）その出力は別個の等化処理部４２７、４２８に入力され、ＵＷ等化結果を基にデータ部の等化処理が行われ、等化処理の施されたＩ／Ｑ信号（ｎ７）（ｏ７）、及び等化誤差（ｋ７）（ｍ７）が夫々出力される。等化誤差（ｋ７）（ｍ７）が入力されたは等化誤差比較部４０は、上記等化処理の過程において得られるＵＷ等化誤差の合計値を算出および一時記憶し誤差量を比較する（合計値算出は等化処理部で行っても良い）。誤差量比較の結果、誤差量が小さい方がどちらかを示す誤差量フラグ（ｂ７）が同期タイミング設定部４５に入力される。同期タイミング設定部４５における同期タイミング設定は前記誤差量フラグに従って行われるものであり、前フレームで決定した誤差量フラグが示す方の同期タイミングを使用する。
【００３１】等化処理の施されたＩ／Ｑ信号（ｎ７）（ｏ７）はそれぞれデータ復調部４２８、４３８にて各々の変調方式に対応した復調処理（シンボル判定）がなされ、復調データ（ｐ７）（ｑ７）として復調データ合成部４４に入力される。復調データ合成部４４では、変調側で分離したデータ系列を再構築して出力データ（ｒ７）として出力する。
【００３２】本受信装置では、ＵＷを合成するのではなく、再生した同期信号を選択するようにしたので、どちらかのキャリアの受信状態が著しく悪化しても、いずれかのキャリアが無事であればシステム全体の同期を保持できる。適当な誤り訂正符号を用いることでデータの伝達効率の向上が見込める。
【００３３】上述した第２及び第３の受信装置は、各キャリア間の伝搬遅延時間の差が変調速度（シンボル速度）の逆数に対し十分小さく同期タイミングへの影響を無視できるときには、同期タイミングはＳ／Ｎの良い（相関ピークがはっきり現れるような）キャリアから再生したものほど信頼できることに基き、各キャリアの受信ＵＷを合成したり、各キャリアで再生した同期信号から１つを選択して共通利用したりするものである。
【００３４】しかし、変調速度が速く遅延時間の差が無視できない場合でも、各キャリアに独自に持たせたＵＷにより各キャリア独自の同期取得情報から遅延時間を推定できるので、第３の受信装置において、更にキャリアごと（例えば等化処理前）に可変遅延手段を備え、推定された値に基き遅延時間差を解消することもできる。或いは、同期タイミング設定部４５が、同期処理部４２６、４３６の両方で同期が検出され且つ検出された同期信号の差が予め設定した閾値を超えたときには同期信号を選択せず従来同様に各キャリア毎に検出した同期を用いてＵＷ位置の検出をするようにしても良い。或いは、一定以上の劣化具合と認定されるキャリアを抽出し、このキャリアに対して最も劣化度合い（等化誤差）の少ないキャリアの同期情報を採用することで、同期の偏りを減らし全キャリアの同期精度を一定水準以上に保つようにしても良い。
【００３５】以上の実施の形態では、二つのキャリアで伝送するＩＳＢデータ伝送を想定したが、キャリア数は複数でも同様の処理手順を用いて同期タイミング取得のダイバー効果が得られるのは明らかである。
【００３６】また、以上の実施の形態でのデジタル処理は、ＤＳＰ（デジタルシグナルプロセッサ）、ＦＰＧＡ（Ｆｉｅｌｄ  Ｐｒｏｇｒａｍｍａｂｌｅ  Ｇａｔｅ  Ａｒｒａｙ）により容易に実現可能であり、また、ハードウェア及びソフトウェアの規模は従来技術とほぼ同じで、現存する市販ＤＳＰ１個で実現できる。ただし第３の受信装置では、同期処理部をキャリア数だけ設けるので、キャリア数が増加するに伴い全体の演算量は線形的に増加する。
【００３７】本発明は以上の実施の形態に限らず、構成の各機能部はソフトウェア、ハードウェアのいずれの手段で実現してもよく、また１つの機能部を複数の手段で実現してもよく、複数の機能部を単一の手段で実現しても良い。
【００３８】
【発明の効果】
本発明によれば、複数のキャリアを用いてデータ伝送を行う場合、キャリア毎にＵＷを備え、受信側での同期には全キャリアのＵＷを利用するようにしたので、同期成立の確立が向上し、伝送路の雑音に対する頑健性が改善された無線装置を提供できる。
【図面の簡単な説明】
【図１】ＩＳＢデータ伝送の概念図
【図２】第１の送信装置の構成図
【図３】第１の受信装置の構成図
【図４】フレーム構成例を説明する図
【図５】第１の送信装置のデジタル変調器の構成図
【図６】第１の送信装置のデジタル復調器の構成図
【図７】デジタル変復調器の仕様を説明する図
【図８】第２の受信装置の構成図
【図９】第２の受信装置の同期情報検出部の構成図
【図１０】第３の受信装置の構成図
【符号の説明】
２０  合成器
２１  同期情報検出部
２２、２３、３２、３３  デジタル復調器
３１  ＩＳＢ復調器
３４  合成器
３５、３６  アナログ／デジタル（Ａ／Ｄ）変換器
４０    等化誤差比較部
４１    帯域分離部
４２、４３  直交検波部
４２６、４３６  同期処理部
４２７、４３７  等化処理部
４２８、４３８  データ復調部
４４    データ合成部
４５    同期タイミング設定部
【図１】
2004274243.tif 000002
【図２】
2004274243.tif 000003
【図３】
2004274243.tif 000004
【図４】
2004274243.tif 000005
【図５】
2004274243.tif 000006
【図６】
2004274243.tif 000007
【図７】
2004274243.tif 000008
【図８】
2004274243.tif 000009
【図９】
2004274243.tif 000010
【図１０】
2004274243.tif 000011